(57)【要約】【課題】簡易な構成により、電気を使用しなくても屋外で長期にわたって確実に動作させることができる捕獲装置及び捕獲数情報収集システムを提供することを提供すること。【解決手段】生物を捕獲するための捕獲装置１であって、前記生物を収容するスペースＳを有する本体部２と、前記本体部２の上端部に設けられ、前記生物が乗るためのステージ１２と、前記ステージ１２の延在する方向に沿って延びる回転軸線Ｌを中心として、前記ステージ１２を回転可能に支持する回転支持部２２と、前記ステージ１２を回転させる方向に付勢する付勢部材９５と、前記ステージ１２の回転をロックするロック機構８８と、前記ステージ１２に設けられた解除スイッチ１６を有し、前記解除スイッチ１６により、前記ロック機構８８による前記ステージ１２のロックを解除する解除機構１６，５４，５５，５６，５９，６８，７９と、を備えることを特徴とする。【選択図】図５
2008022820.tif 000002
【特許請求の範囲】
【請求項１】
生物を捕獲するための捕獲装置であって、
前記生物を収容するスペースを有する本体部と、
前記本体部の上端部に設けられ、前記生物が乗るためのステージと、
前記ステージの延在する方向に沿って延びる回転軸線を中心として、前記ステージを回転可能に支持する回転支持部と、
前記ステージを回転させる方向に付勢する付勢部材と、
前記ステージの回転をロックするロック機構と、
前記ステージに設けられた解除スイッチを有し、前記解除スイッチにより、前記ロック機構による前記ステージのロックを解除する解除機構と、
を備えることを特徴とする捕獲装置。
【請求項２】
前記付勢部材が、ゼンマイであることを特徴とする請求項１に記載の捕獲装置。
【請求項３】
前記ステージの回転と一体的に回転する歯車が設けられており、
前記ロック機構が、
前記歯車から突出する突出部と、
前記歯車に近接した近接位置と離隔した離隔位置との間を往復移動可能に設けられた当接部と、
を備え、
前記当接部が前記近接位置に配されると、前記突出部が前記当接部に当接し、前記歯車の回転が規制されることを特徴とする請求項１又は請求項２に記載の捕獲装置。
【請求項４】
前記解除スイッチが、上下方向に移動可能に設けられており、
前記解除機構が、
前記解除スイッチと前記当接部とを連結する連結部を備え、
前記解除スイッチが下方に押されると、前記連結部を介して、前記当接部が前記離隔位置に配されて、前記歯車の回転の規制を解除することを特徴とする請求項３に記載の捕獲装置。
【請求項５】
前記ステージを固定する固定手段を備えることを特徴とする請求項１から請求項４のいずれか一項に記載の捕獲装置。
【請求項６】
前記ステージの回転をロックする際の衝撃を緩衝する緩衝手段を備えることを特徴とする請求項１から請求項５のいずれか一項に記載の捕獲装置。
【請求項７】
前記本体部の前記スペース内に設けられる収納容器を備え、
前記収納容器に、防腐液が入れられることを特徴とする請求項１から請求項６のいずれか一項に記載の捕獲装置。
【請求項８】
前記ステージの回転数を計数する計数手段を備えることを特徴とする請求項１から請求項７のいずれか一項に記載の捕獲装置。
【請求項９】
前記計数手段の計数結果を表示する表示部を備えることを特徴とする請求項８に記載の捕獲装置。
【請求項１０】
前記計数手段が、前記計数したステージの回転数を前記生物の捕獲数情報として出力するようになっており、
前記出力された捕獲数情報を送信する送信部が設けられていることを特徴とする請求項８又は請求項９に記載の捕獲装置。
【請求項１１】
生物を捕獲するための捕獲装置と、前記捕獲した生物の捕獲数情報を管理する管理部とを有する捕獲数情報収集システムであって、
前記捕獲装置が、
前記生物を収容するスペースを有する本体部と、
前記本体部の上端部に設けられ、前記生物が乗るためのステージと、
前記ステージの延在する方向に沿って延びる回転軸線を中心として、前記ステージを回転可能に支持する回転支持部と、
前記ステージを回転させる方向に付勢する付勢部材と、
前記ステージの回転をロックするロック機構と、
前記ステージに設けられた解除スイッチを有し、前記解除スイッチにより、前記ロック機構による前記ステージのロックを解除する解除機構と、
前記ステージの回転数を計数し、この回転数を前記捕獲数情報として出力する計数手段と、
前記計数手段から出力された捕獲数情報を送信する送信部とを備え、
前記管理部が、
前記送信部から送信された捕獲数情報を受信する受信部と、
前記受信部によって受信された捕獲数情報を記憶する記憶部と、
を備えることを特徴とする捕獲数情報収集システム。
【発明の詳細な説明】
【技術分野】
【０００１】
本発明は、小動物などの生物を捕獲するための捕獲装置に関する。
【背景技術】
【０００２】
従来より、小動物などの生物を捕獲するために様々な捕獲装置が利用されてきている（例えば、特許文献１参照）。小動物としては、例えばネズミなどが挙げられる。
このようなネズミなどの捕獲装置としては、ネズミを収容する収容部と、この収容部の上に設けられた開閉ステージとを備えたものが知られている。さらに、この捕獲装置は、開閉ステージ上に設けられた赤外線センサを備えている。
【０００３】
このような構成のもと、開閉ステージ上をネズミが通ると、赤外線センサが作動し、赤外線センサの出力に応じて、制御部が、開閉ステージを下側に向けて開く。これにより、ネズミが自重により落下して、収容部に収容されることにより、ネズミが捕獲される。
ここで、小動物は屋外にも多く生息しており、捕獲装置を屋外に設置すべき要請がある。また、厨房など水の使用が多い場所での利用も考えられる。
【特許文献１】特開２０００−６０４０８号公報
【発明の開示】
【発明が解決しようとする課題】
【０００４】
しかしながら、上記のような捕獲装置では、赤外線センサだけでなく、大容量バッテリー、モータ、ソレノイド及び制御基板など多くの電気部品が使用されているため、屋外又は水の使用頻度の多い場所で設置されたときに、雨水などにより故障を起こすおそれがある。また、機械構成も複雑で、コストが上昇してしまう。
さらに、雨による水の浸入を防止するために、雨よけや水密構造などを設置することが考えられるが、それら雨よけや水密構造などを設置すると、構造が益々複雑となり、コストが一層増大してしまう。
【０００５】
本発明は、このような事情に鑑みてなされたものであって、簡易な構成により、屋外又は水を使用する場所においても長期にわたって確実に動作させることができる捕獲装置及び捕獲数情報収集システムを提供することを目的とする。
【課題を解決するための手段】
【０００６】
上記課題を解決するために、本発明は以下の手段を提供する。
本発明に係る捕獲装置は、生物を捕獲するための捕獲装置であって、前記生物を収容するスペースを有する本体部と、前記本体部の上端部に設けられ、前記生物が乗るためのステージと、前記ステージの延在する方向に沿って延びる回転軸線を中心として、前記ステージを回転可能に支持する回転支持部と、前記ステージを回転させる方向に付勢する付勢部材と、前記ステージの回転をロックするロック機構と、前記ステージに設けられた解除スイッチを有し、前記解除スイッチにより、前記ロック機構による前記ステージのロックを解除する解除機構と、を備えることを特徴とする。
【０００７】
この発明に係る捕獲装置においては、付勢手段により付勢された状態で、回転支持部によりステージが回転可能に支持される。そして、ロック機構により、ステージの回転がロックされる。この状態から、ステージに生物が乗り、生物の自重により、解除スイッチを押す。その結果、解除機構により、ステージのロックが解除される。そのため、付勢手段の付勢力により、ステージが回転する。そして、生物が自重により本体部内に落下する。
これにより、赤外線センサなどのように電気による動作を不要とすることができ、生物を確実に捕獲することができる。
【０００８】
また、本発明に係る捕獲装置は、前記付勢部材が、ゼンマイであることを特徴とする。
【０００９】
この発明に係る捕獲装置によれば、簡単かつ確実にステージを回転させることができる。
【００１０】
また、本発明に係る捕獲装置は、前記ステージの回転と一体的に回転する歯車が設けられており、前記ロック機構が、前記歯車から突出する突出部と、前記歯車に近接した近接位置と離隔した離隔位置との間を往復移動可能に設けられた当接部と、を備え、前記当接部が前記近接位置に配されると、前記突出部が前記当接部に当接し、前記歯車の回転が規制されることを特徴とする。
【００１１】
この発明に係る捕獲装置においては、当接部が近接位置に配されると、突出部が当接部に当接し、歯車の回転が規制される。一方、当接部が離隔位置に配されると、突出部が解放されて歯車が回転する。
これにより、ステージの回転のロックと解除とを確実に行うことができる。
【００１２】
また、本発明に係る捕獲装置は、前記解除スイッチが、上下方向に移動可能に設けられており、前記解除機構が、前記解除スイッチと前記当接部とを連結する連結部を備え、前記解除スイッチが下方に押されると、前記連結部を介して、前記当接部が前記離隔位置に配されて、前記歯車の回転の規制を解除することを特徴とする。
【００１３】
この発明に係る捕獲装置においては、解除スイッチが下方に押されると、連結部を介して、当接部が離隔位置に配されて、歯車の回転の規制を解除する。
これにより、ステージの回転のロックと解除とを確実に行うことができる。
【００１４】
また、本発明に係る捕獲装置は、前記ステージを固定する固定手段を備えることを特徴とする。
【００１５】
この発明に係る捕獲装置によれば、ステージをぐらつかせることなく、確実にステージを固定することができる。そのため、ネズミの警戒心を早期に緩和させることができる。
【００１６】
また、本発明に係る捕獲装置は、前記ステージの回転をロックする際の衝撃を緩衝する緩衝手段を備えることを特徴とする。
【００１７】
この発明に係る捕獲装置によれば、衝撃による故障や不具合の発生を防止することができる。
【００１８】
また、本発明に係る捕獲装置は、前記本体部の前記スペース内に設けられる収納容器を備え、前記収納容器に、防腐液が入れられることを特徴とする。
【００１９】
この発明に係る捕獲装置においては、本体部内に生物が落下すると、その生物は収納容器内に収納される。このとき、収納容器に防腐液が入れられていることから、ネズミを溺死させることができるだけでなく、液が腐ることを防止することができ、悪臭などを防止することができる。
【００２０】
また、本発明に係る捕獲装置は、前記ステージの回転数を計数する計数手段を備えることを特徴とする。
【００２１】
この発明に係る捕獲装置によれば、計数手段により、ステージの回転数を計数できることから、その回転数を介して、生物の捕獲数情報を得ることができる。
【００２２】
また、本発明に係る捕獲装置は、前記計数手段の計数結果を表示する表示部を備えることを特徴とする。
【００２３】
この発明に係る捕獲装置においては、計数手段の計数結果が、表示部に表示される。
これにより、表示部を目視するだけで、直ちにネズミを計数することができる。
【００２４】
また、本発明に係る捕獲装置は、前記計数手段が、前記計数したステージの回転数を前記生物の捕獲数情報として出力するようになっており、前記出力された捕獲数情報を送信する送信部が設けられていることを特徴とする。
【００２５】
この発明に係る捕獲装置においては、計数手段によって、捕獲数情報が出力され、送信部によって、その捕獲数情報が送信される。
これにより、捕獲装置の設置場所から離れた場所で、捕獲数情報を容易に得ることができる。
【００２６】
また、本発明に係る捕獲数情報収集システムは、生物を捕獲するための捕獲装置と、前記捕獲した生物の捕獲数情報を管理する管理部とを有する捕獲数情報収集システムであって、前記捕獲装置が、前記生物を収容するスペースを有する本体部と、前記本体部の上端部に設けられ、前記生物が乗るためのステージと、前記ステージの延在する方向に沿って延びる回転軸線を中心として、前記ステージを回転可能に支持する回転支持部と、前記ステージを回転させる方向に付勢する付勢部材と、前記ステージの回転をロックするロック機構と、前記ステージに設けられた解除スイッチを有し、前記解除スイッチにより、前記ロック機構による前記ステージのロックを解除する解除機構と、前記ステージの回転数を計数し、この回転数を前記捕獲数情報として出力する計数手段と、前記計数手段から出力された捕獲数情報を送信する送信部とを備え、前記管理部が、前記送信部から送信された捕獲数情報を受信する受信部と、前記受信部によって受信された捕獲数情報を記憶する記憶部と、を備えることを特徴とする。
【００２７】
この発明に係る捕獲数情報収集システムにおいては、付勢手段により付勢された状態で、回転支持部によりステージが回転可能に支持される。そして、ロック機構により、ステージの回転がロックされる。この状態から、ステージに生物が乗り、生物の自重により、解除スイッチを押す。その結果、解除機構により、ステージのロックが解除される。そのため、付勢手段の付勢力により、ステージが回転する。そして、生物が自重により本体部内に落下する。また、ステージが回転すると、計数手段により、ステージの回転数が計数され、捕獲数情報が出力される。そして、その捕獲数情報は、送信部によって送信される。
一方、管理部の備える受信部によって、捕獲数情報が受信され、その受信された捕獲数情報が記憶部に記憶される。
これにより、迅速かつ高精度に捕獲数情報を収集することができ、高度な捕獲数情報管理を行うことができる。
【発明の効果】
【００２８】
本発明によれば、生物が通ることにより解除スイッチを介してステージのロックを解除することから、簡易な構成により、屋外でも長期にわたって確実に動作させることができる。
【発明を実施するための最良の形態】
【００２９】
（実施形態１）
以下、本発明に係る捕獲装置の実施形態について、図面を参照して説明する。
図１は、捕獲装置を示した斜視図である。
捕獲装置１は、直方体形状の本体部２を備えている。本体部２は、鉄板が塗装されて形成されている。
また、本体部２の長さ方向Ｄの両側面６には、捕獲装置１の移動の際に把持するための取手３が設けられている。また、両側面６は、それら下端辺を回転軸線として、長さ方向Ｄに回転可能に取り付けられている。
【００３０】
本体部２の内部には、スペースＳが設けられている。このスペースＳには、直方体形状の収納容器９が配置されている。収納容器９の上端は、開放端とされている。この収納容器９の中には、図５に示すように、例えばプロピレングリコールなどの油性防腐液Ｅが入れられるようになっている。
【００３１】
本体部２の底面の四隅には、ゴム足８が取り付けられている。
また、図１に示すように、本体部２の天面７には、高さ方向にドーム状に突出するトンネル部１１が着脱可能に取り付けられるようになっている。トンネル部１１は、横断面が略椀状に形成され、長さ方向Ｄの両端は開放端とされている。
さらに、天面７は、全体として平坦面として形成されており、トンネル部１１の開放端からトンネル部１１の内部に生物が侵入し易くなっている。
【００３２】
図２は、トンネル部１１を取り外したときの捕獲装置１を示す平面図である。
天面７には、長さ方向Ｄに延びる長方形状の開口部２１が形成されている。この開口部２１には、開口部２１に相似する長方形状のステージ１２が設けられている。ステージ１２は、開口部２１に一致させて、各辺部のクリアランスが最小になるようにして設けられている。また、ステージ１２は、天面７と面一にして設けられている。すなわち、ステージ１２は、本体部２の上端に設けられている。
さらに、ステージ１２の中央部には、幅方向Ｗに延びる長方形状の開口部１３が形成されている。開口部１３内には、開口部１３に相似する長方形状のスイッチ板（解除スイッチ、解除機構）１６が設けられている。スイッチ板１６は、開口部１３に一致させて、各辺部のクリアランスが最小になるようにして設けられている。また、スイッチ板１６は、ステージ１２と面一にして設けられている。
【００３３】
また、図３に示すように、スイッチ板１６の裏面の各辺部（端部）のうち、各辺部の長さ方向の中央に、それぞれ外方に向けて突出するストッパ１７が設けられている。
ストッパ１７は、図４に示すように、スイッチ板１６の裏面に取り付けられる長方形状の基板面１７ａを備えている。基板面１７ａの外方に向けられた端辺部には、この端辺部からスイッチ板１６の延在する面と直交する方向（図４における下方）に延びる段差部１７ｂが設けられている。段差部１７ｂの先端部には、この先端部からスイッチ板１６の延在する面に沿って外方に延びる長方形状の外方面１７ｃが設けられている。
【００３４】
さらに、図５に示すように、捕獲装置１は、ステージ１２を回転可能に支持する回転支持部２２を備えている。回転支持部２２は、本体部２の上端部に設けられている。そして、回転支持部２２は、略筒状に形成されて長さ方向Ｄに延びる回転基部２６を備えている。回転基部２６は、本体部２の幅方向Ｗの中央であって、長さ方向Ｄの一端部に設けられている。回転基部２６の先端には、軸部２７が設けられており、回転基部２６は、不図示の取付部により、軸部２７を通る回転軸線Ｌを中心として回転可能に取り付けられている。軸部２７の先端部には、回転ギア３０が取り付けられている。
また、回転基部２６の後端には、先端部よりも大径の大径部３５が設けられている。大径部３５の外周面には、ネジ孔が３８が形成されている。そして、ステージ１２の長さ方向Ｄの一端部を通して、ネジ孔３５にネジ３７を螺合させることにより、ステージ１２が回転基部２６に固定されている。
【００３５】
さらに、回転支持部２２は、本体部２の長さ方向Ｄの他端部に設けられた支持端部４１を備えている。支持端部４１は、回転軸線Ｌ上に延びる支持軸部４２と、この支持軸部４２から回転軸線Ｌに直交する方向（図５における上方）に向けて延びる支持取付部４３とを備えている。
【００３６】
支持軸部４２の長さ方向Ｄの外方に向けられた突起部４２ａは、本体部２の上端部のうち長さ方向Ｄの他端部に形成された嵌合孔４８に、回転軸線Ｌを中心として回転可能に嵌合されている。また、支持軸部４２には、突起部４２ａの先端から回転軸線Ｌ上に延びる固定用ネジ孔（固定手段）５０が形成されている。そして、本体部２の不図示のネジ開口部を通して、固定用ネジ（固定手段）５１を固定用ネジ孔５０に螺合させることにより、支持端部４１を固定し、支持端部４１の回転を規制するようになっている。
また、支持取付部４３には、上端面から延びるネジ孔４６が形成されている。そして、ステージ１２の長さ方向Ｄの他端部を通して、ネジ孔４６にネジ４７を螺合させることにより、ステージ１２が支持端部４１に固定されている。
【００３７】
そして、上述のように、回転基部２６及び支持端部４１によって、ステージ１２は、回転軸線Ｌを回転中心として回転可能に支持されている。すなわち、回転ギア３０を回転させると、回転基部２６が、回転軸線Ｌを回転中心として回転し、この回転によって、ステージ１２及び支持端部４１が回転基部２６と一体的に回転するようになっている。
【００３８】
また、スイッチ板１６の裏面には、その中央から回転軸線Ｌに直交する方向（図５における下方）に延びる垂下部（連結部、解除機構）５４が設けられている。垂下部５４の先端（下端）には、本体部２の長さ方向Ｄの一端部側に向けて回転軸線Ｌ上に延びる長尺部（連結部、解除機構）５５が設けられている。長尺部５５の先端部は、回転基部２６の筒穴に挿通されている。また、長尺部５５の先端には、回転軸線Ｌに直交する方向（図５において上方）に延びる突起部（連結部、解除機構）５６が設けられている。突起部５６は、回転基部２６の側面に形成された開口部５７を介して、回転基部２６の径方向外方に突出するようになっている。
【００３９】
さらに、長尺部５５の中間部には、支点部（解除機構）５９が設けられている。支点部５９は、ステージ１２の裏面から下方に延びる支点支持部６０の先端部に、幅方向Ｗに向けられた不図示のピンによって取り付けられている。これにより、長尺部５５は、支点部５９（幅方向Ｗに向けられた回転軸線Ｍ）を回転中心として回転するようになっている。
また、長尺部５５のうち、支点部５９と基端部（垂下部５４への取付箇所）との中間部６１には、この中間部６１と、ステージ１２の裏面との間に、コイルバネ６４が設けられている。
【００４０】
この長尺部５５により、スイッチ板１６は、ステージ１２内において、上下方向（ステージ１２の延在する面に直交する方向であり、本体部２の高さ方向Ｈに相当）に移動可能に設けられている。そして、スイッチ板１６を下方に押すと、垂下部５４を介して、長尺部５５は、その基端部が下方に押し下げられるようにして、支点部５９を回転中心として一方に回転（図５において右回転）し、長尺部５５の先端部が押し上げられるようになっている。これにより、長尺部５５の先端部に設けられた突起部５６がステージ１２側（図５において上方）に突出するようになっている。また、長尺部５５は、コイルバネ６４の引っ張り力により、基端部がステージ１２側に常に引っ張られており、これにより、長尺部５５は常に他方に回転（図５において左回転）するように付勢されている。ただし、スイッチ板１６に設けられたストッパ１７がステージ１２の裏面側に当接することにより、スイッチ板１６がステージ１２と面一に配される位置以上に回転することが規制されている。
なお、スイッチ板１６は、支点支持部６０及び長尺部５５などにより、支点部５９を中心として回転可能に支持されているが、ステージ１２に対するスイッチ板１６の回転方向は「上下方向」に含まれるものとする。
【００４１】
また、図６に示すように、回転ギア３０を包むようにして略かぎ形状の連結フック（連結部、解除機構）６８が設けられている。連結フック６８は、上下方向に移動可能に設けられている。この連結フック６８は、幅方向Ｗに延びる基部７０を備えている。基部７０は、突起部５６の前方（図６において上方）に配置されている。基部７０には、下方に延びる下方連結部７１が設けられている。下方連結部７１には、取付突起７４が設けられており、取付突起７４には、コイルバネ（ロック機構）７５が設けられている。このコイルバネ７５により、連結フック６８は、下方に常に付勢されている。下方連結部７１の下端には、幅方向Ｗに折り返された連結取付部７２が設けられている。
【００４２】
連結取付部７２には、上下方向に延びる連結棒（連結部、解除機構）７９が取付ネジ７８を介して取り付けられている。連結棒７９の先端（下端）は、当接部（ロック機構）８０とされている。
これら連結フック６８及び連結棒７９は、上下方向に一体的に往復移動可能に設けられている。
そして、自然状態においては、コイルバネ７５の付勢力により、連結フック６８及び連結棒７９が下方に配され、これにより、当接部８０は、後述するロック用ギア（歯車）８５に近接した近接位置Ｐ１に配されるようになっている。一方、突起部５６が突出することにより、図７に示すように、連結フック６８が上方に押し上げられ、これにより、連結棒７９も一体的に押し上げられ、当接部８０は、ロック用ギア８５から上方に離隔する離隔位置Ｐ２に配されるようになっている。
【００４３】
また、回転ギア３０には、この回転ギア３０の下方において連結ギア３１が噛み合わされている。連結ギア３１は、図５に示すように、長さ方向Ｄに延びる連結軸部６５の先端に取り付けられている。
さらに、連結ギア３１の下方には、駆動ユニット８３が設けられている。駆動ユニット８３は、長さ方向Ｄに延びる駆動軸部８４を備えている。駆動軸部８４の先端には、駆動ギア３２が設けられている。駆動ギア３２は、連結ギア３１に噛み合わされている。また、駆動軸部８４の基端部には、駆動ギア３２よりも大径のロック用ギア８５が設けられている。ロック用ギア８５には、このロック用ギア８５の径方向外方に突出する突出部（ロック機構）８８が設けられている。また、ロック用ギア８５には、本体部２の長さ方向Ｄの一端部側（図５において左側）に突出する突起部（計数手段）８９が設けられている。
【００４４】
突起部８９の近傍には、マイクロスイッチ（計数手段）９０が設けられている。マイクロスイッチ９０は、駆動バー９３を備えている。駆動バー９３は、突起部８９の回転軌跡上に設けられており、ロック用ギア８５が回転すると、突起部８９が駆動バー９３を駆動し、マイクロスイッチ９０がオンされるようになっている。
マイクロスイッチ９０には、表示部９４が接続されており、マイクロスイッチ９０がオンされるごとに、その回数を表示するようになっている。
【００４５】
また、駆動ユニット８３は、ゼンマイバネ（付勢手段）９５を備えている。ゼンマイバネ９５は、駆動軸部８４の先端にハンドル９８を嵌合させて回転させることにより、駆動軸部８４を回転させる付勢力を溜めるようになっている。そして、図６に示すように、このゼンマイバネ９５の付勢力により、駆動軸部８４を介して、ロック用ギア８５及び駆動ギア３２が正回転（図６において左回転）するようになっている。
【００４６】
さらに、駆動ユニット８３は、図５に示すように、ロータリーダンパ（緩衝手段）９９が設けられている。ロータリーダンパ９９は、オイルの粘性抵抗により、駆動軸部８４の急激な回転を防止するようになっている。
【００４７】
このような構成のもと、ハンドル９８によってゼンマイバネ９５を巻いて、付勢力を溜めると、その不勢力により駆動軸部８４を介して、ロック用ギア８５及び駆動ギア３２が一体的に回転するようになっている。
この場合、自然状態においては、図６に示すように、コイルバネ７５の付勢力により、当接部８０が近接位置Ｐ１に配されていることから、突出部８８が当接部８０に当接し、ロック用ギア８５の回転が規制されるようになっている。
一方、図７に示すように、当接部８０が離隔位置Ｐ２に配されると、突出部８８が当接部８０に当接しなくなり解放される。そのため、ロック用ギア８５及び駆動ギア３２が正回転するようになっている。この駆動ギア３２が正回転することにより、連結ギア３１が逆回転し、これにより、図８から図１２に示すように、回転ギア３０がステージ１２などとともに一体的に正回転するようになっている。
【００４８】
なお、図１０は、回転ギア３０が、初期状態における開始位置（図８に示す）から、９０度回転した様子を示したものであり、このとき、図１３に示すように、ロック用ギア８５も、開始位置（図６に示す）から９０度回転する。
さらに、図１１は、初期状態における開始位置（図８に示す）から、１８０度回転した様子を示したものであり、このとき、図１４に示すように、ロック用ギア８５も、開始位置（図６に示す）から１８０度回転する。そして、一回転すると、図６に示すように、突出部８８が当接部８０に当接することにより、ロック用ギア８５の回転が規制され、これにより、ステージ１２などの回転が規制されて、ステージ１２などが初期状態に戻るようになっている。
【００４９】
次に、このように構成された本実施形態における捕獲装置１の作用について説明する。
まず、図１５に示すように、ステージ１２の所定の位置に、ネズミを誘引する誘引剤Ｙを設けて、ネズミを捕獲するための所定の位置に捕獲装置１を設置する。このときには、図５に示すように、ドライバＦにより、固定用ネジ５１を固定用ネジ孔５０に螺合させて、支持端部４１をしっかりと固定する。これにより、ステージ１２の回転が規制された状態となる。この状態で、数日間などの所定の期間、捕獲装置１を放置する。これにより、ネズミが誘引剤Ｙに誘引されてトンネル部１１の中に自由に出入りし、捕獲装置１に対する警戒心が和らげられる。
【００５０】
そして、ネズミの警戒心が和らげられた所定の期間が経過してから、改めて、誘引剤Ｙを補充し、固定用ネジ５１を取り外して、支持端部４１を解放する。さらに、ハンドル９８によって、ゼンマイバネ９５を巻いていき、付勢力を溜めておく。
このときには、図６に示すように、当接部８０が近接位置Ｐ１に配されているため、突出部８８が当接部８０に当接し、駆動軸部８４の回転は規制されている。
この状態で、捕獲装置１を所定の期間放置する。
【００５１】
すると、図１６に示すように、誘引剤Ｙに誘引されてネズミＭがトンネル部１１の中に入ってくる。そして、ステージ１２を経てスイッチ板１６にネズミＭが乗ると、ネズミＭの自重により、スイッチ板１６が下方に押される。すると、図５に示すように、垂下部５４を介して、支点部５９を回転中心として長尺部５５が回転し、長尺部５５の基端部が押し下げられる。そのため、長尺部５５の先端部が押し上げられ、回転基部２６の外周面から突起部５６が突出する。そのため、図７に示すように、突起部５６によって、連結フック６８が、コイルバネ７５の付勢力に抗して押し上げられ、これにより連結棒７９が押し上げられる。そのため、当接部８０が近接位置Ｐ１から離隔位置Ｐ２に配される。
【００５２】
これにより、突出部８８が解放され、ゼンマイバネ９５の付勢力により、駆動軸部８４を介して、ロック用ギア８５及び駆動ギア３２が正回転する。そのため、連結ギア３１が逆回転し、さらに回転ギア３０が正回転する。そして、回転ギア３０の回転に合わせて、ステージ１２が、回転軸線Ｌを回転中心として、スイッチ板１６ごと一体的に正回転する。そのため、図１７に示すように、ステージ１２が開始位置から９０度前後回転すると、開口部２１にクリアランスが生じ、このクリアランスから、ネズミＭが自重により本体部２のスペースＳ内に落下する。スペースＳ内には、収納容器９が設けられていることから、ネズミＭは、収納容器９内の油性防腐液Ｅ内に落ちて、やがて溺死する。
【００５３】
なお、スイッチ板１６は、ネズミＭの自重により一端押し下げられるが、図５に示すコイルバネ６４の付勢力により、長尺部５５及び垂下部５４を介して、スイッチ板１６はお押し上げられる。そして、ストッパ１７がステージ１２の裏面に当接することにより、スイッチ板１６は開始位置に戻される。そのため、図６に示すように、突起部５６も開始位置に戻されて、これにより、コイルバネ７５の付勢力により、連結フック６８及び連結棒７９は下方に付勢される。そのため、突出部８８が当接部８０を通り過ぎると、当接部８０は直ちに近接位置Ｐ１に戻される。そして、ロック用ギア８５が３６０度回転（一回転）すると、突出部８８が当接部８０に当接し、その回転が規制される。これにより、ステージ１２が、天面７に面一な元の位置（開始位置）に戻される。
【００５４】
このとき、ロータリーダンパ９９により、ロック用ギア８５の急激な回転が防止されていることから、突出部８８が当接部８０に当接する際の衝撃が緩衝される。
なお、上記ロック用ギア８５が３６０度回転すると、突起部８９が駆動バー９３を駆動し、これにより、マイクロスイッチ９０から検出信号が出力される。この検出信号が、ステージ１２の回転数となり、この回転数がネズミＭの捕獲数情報となる。さらに、マイクロスイッチ９０からの検出信号は、表示部９４に入力されて、これにより、表示部９４に捕獲数情報が表示される。
【００５５】
以上より、本実施形態における捕獲装置１によれば、ネズミＭの自重によりスイッチ板１６を押し下げて、ゼンマイバネ９５によりステージ１２を回転させることから、例えば赤外線センサなどのように電気による動作を不要とすることができる。そのため、簡易な構成により、屋外でも長期にわたって確実に動作させることができる。
また、ゼンマイバネ９５を設けていることから、簡単かつ確実にステージ１２を回転させることができる。
また、当接部８０と突出部８８とにより、ステージ１２の回転のロックと解除とを確実に行うことができる。
【００５６】
さらに、固定用ネジ５１を固定用ネジ孔５０に螺合させることにより、支持端部４１を固定することができることから、ステージ１２をぐらつかせることなく、確実にステージ１２を固定することができる。そのため、ネズミＭの警戒心を早期に緩和させることができる。
また、ロータリーダンパ９９によって、ロック用ギア８５の急激な回転を防止することができることから、突出部８８が当接部８０に当接する際の衝撃を緩衝することができる。
また、スペースＳ内に収納容器９が設けられていることから、ネズミＭを本体部２内に確実に収納することができる。さらに、収納容器９内には、油性防腐液Ｅが入れられていることから、迅速かつ確実にネズミＭを溺死させることができ、さらに液が腐ることを防止することができる。
【００５７】
また、マイクロスイッチ９０により、ロック用ギア８５の回転数を介して、ネズミＭの捕獲数情報を得ることができることから、高精度な捕獲数情報を確実に得ることができ、様々な捕獲数情報管理に利用することができる。さらに、その捕獲数情報を表示部９４に表示することができることから、表示部９４を目視するだけで、直ちにネズミＭの捕獲数を計数することができる。
【００５８】
なお、本実施形態においては、スイッチ板１６にストッパ１７を設けるとしたが、さらに、スイッチ板１６が必要以上に押し下げられることのないような構成としてもよい。例えば、図１８及び図１９に示すように、ステージ１２の裏面に、開口部１３の縁部から開口部１３の内方側に向けて突出する階段状の保護部材１０２を設ける。そして、スイッチ板１６を押し下げるとスイッチ板１６の裏面が保護部材１０２に当接する。そのため、重量の重いネズミが乗っても、スイッチ板１６が必要以上に押し下げられることを防止することができ、長期にわたって確実にスイッチ板１６を作動させることができる。
また、本実施形態においては、ゼンマイバネ９５を設けるとしたが、これに限ることはなく、付勢手段としては適宜変更可能である。例えば、コイルバネであってもよい。
【００５９】
（実施形態２）
次に、本発明に係る捕獲数情報収集システムについて説明する。
図２０は、本発明の捕獲数情報収集システムを示したものである。
図２０において、図１から図１９に記載の構成要素と同一部分については同一符号を付し、その説明を省略する。
捕獲数情報収集システム１００は、複数の捕獲装置１´と、管理装置（管理部）１１０とを備えている。
捕獲装置１´は、複数あるが、それら複数の捕獲装置１´はすべて同一の構成であるから、ここでは代表して一つの捕獲装置１´について説明する。
また、捕獲装置１´は、上記実施形態の捕獲装置１と基本的構成は同一であり、ここでは異なる点についてのみ説明する。
【００６０】
本実施形態における捕獲装置１´は、制御部１０３を備えている。制御部１０３は、マイクロスイッチ９０及び表示部９４に接続されている。そして、制御部１０３は、マイクロスイッチ９０からの検出信号を読み出し、表示部９４に捕獲数情報を表示する。また、制御部１０３は、外部機器に捕獲数情報を送信するための送信部１０４に接続され、送信部１０４はアンテナ１０６に接続されている。
【００６１】
管理装置１１０は、捕獲装置１´が設置される場所から離れた管理室などに設置されるものであり、複数の捕獲装置１´によって捕獲されたネズミの捕獲数情報を管理するためのものである。その管理装置１１０は、全体を制御する制御部１１３を備えている。制御部１１３は、通信を行うための通信部（受信部）１１２に接続されており、この通信部１１２は、アンテナ１１１に接続されている。また、制御部１１３は、各種情報を記憶する記憶部１１４に接続されている。
【００６２】
このような構成のもと、捕獲装置１´の制御部１０３が、マイクロスイッチ９０から検出信号を読み出すと、捕獲数情報として表示部９４にカウントアップして表示する。さらに、その検出信号を捕獲数情報として、送信部１０４及びアンテナ１０６を介して無線により送信する。
一方、管理装置１１０の制御部１１３は、アンテナ１１１及び通信部１１２を介して、捕獲装置１´から送信された捕獲数情報を受信する。そして、制御部１１３は、受信した捕獲数情報を記憶部１１４に記憶する。
なお、記憶部１１４に記憶された捕獲数情報は、モニタなどの表示装置に表示される。また、記憶部１１４に記憶された捕獲数情報は、制御部１１３に読み出され、パソコンなどにより、種々の捕獲数情報管理に利用される。
【００６３】
以上より、本実施形態における捕獲数情報収集システム１００によれば、上記実施形態と同様の効果を奏することができるだけでなく、複数個所から迅速かつ高精度に捕獲数情報を収集することができ、高度な捕獲数情報管理を行うことができる。
また、捕獲装置１´は送信部１０４を備えていることから、捕獲数情報を送信することができ、そのため、捕獲装置１´から離れた場所でも捕獲数情報を容易に得ることができる。
【００６４】
なお、ロック機構においては、連結棒７９の先端部の形状、コイルバネ７５の引張力、長尺部５５の支点部５９の位置又はコイルバネ６４の引張力などを調整することにより、解除スイッチの感度を最適に設定することができる。これにより、対象となる生物のサイズなどに応じて、解除スイッチの感度を調整することができる。
なお、本発明の技術範囲は上記の実施形態に限定されるものではなく、本発明の趣旨を逸脱しない範囲において、種々の変更を加えることが可能である。
【図面の簡単な説明】
【００６５】
【図１】本発明に係る捕獲装置の実施形態を示す斜視図である。
【図２】図１の捕獲装置からトンネル部を取り外して拡大した様子を示す平面図である。
【図３】図２のスイッチ板を拡大して示す平面図である。
【図４】図２のＡ−Ａ線矢視断面図である。
【図５】図１の捕獲装置を拡大して示す側断面図である。
【図６】図１の捕獲装置を長さ方向から見たときの様子を示す図であって、当接部が近接位置に配された様子を示す透視図である。
【図７】図１の捕獲装置を長さ方向から見たときの様子を示す図であって、当接部が離隔位置に配された様子を示す透視図である。
【図８】本実施形態の回転ギア、ステージ及びスイッチ板が回転する様子を示す図であって、ステージ及びスイッチ板が開始位置に配された様子を示す説明図である。
【図９】本実施形態の回転ギア、ステージ及びスイッチ板が回転する様子を示す図であって、ステージ及びスイッチ板が開始位置から４５度回転した様子を示す説明図である。
【図１０】本実施形態の回転ギア、ステージ及びスイッチ板が回転する様子を示す図であって、ステージ及びスイッチ板が開始位置から９０度回転した様子を示す説明図である。
【図１１】本実施形態の回転ギア、ステージ及びスイッチ板が回転する様子を示す図であって、ステージ及びスイッチ板が開始位置から１８０度回転した様子を示す説明図である。
【図１２】本実施形態の回転ギア、ステージ及びスイッチ板が回転する様子を示す図であって、ステージ及びスイッチ板が開始位置から３１５度回転した様子を示す説明図である。
【図１３】本実施形態のロック用ギアが回転する様子を示す図であって、ロック用ギアが開始位置から９０度回転した様子を示す説明図である。
【図１４】本実施形態のロック用ギアが回転する様子を示す図であって、ロック用ギアが開始位置から１８０度回転した様子を示す説明図である。
【図１５】図１の捕獲装置に誘引剤を置いた様子を拡大して示す説明図である。
【図１６】図１５のステージにネズミが乗っている様子を示す説明図である。
【図１７】図１６のステージが回転し、ネズミが収納容器内に落下する様子を示す説明図である。
【図１８】ステージ裏面に保護部材を設けた様子を示す平面図である。
【図１９】図１８のＢ−Ｂ線矢視断面図である。
【図２０】本発明に係る捕獲数情報収集システムの実施形態を示す全体構成図である。
【符号の説明】
【００６６】
１    捕獲装置
２    本体部
９    収納容器
１２  ステージ
１６  スイッチ板（解除スイッチ、解除機構）
２２  回転支持部
５０  固定用ネジ孔（固定手段）
５１  固定用ネジ（固定手段）
５４  垂下部（連結部、解除機構）
５５  長尺部（連結部、解除機構）
５６  突起部（連結部、解除機構）
５９  支点部（解除機構）
６８  連結フック（連結部、解除機構）
７５  コイルバネ（ロック機構）
７９  連結棒（連結部、解除機構）
８０  当接部（ロック機構）
８５  ロック用ギア（歯車）
８８  突出部（ロック機構）
８９  突起部（計数手段）
９０  マイクロスイッチ（計数手段）
９４  表示部
９５  ゼンマイバネ（付勢部材）
９９  ロータリーダンパ（緩衝手段）
１００  捕獲数情報収集システム
１０４  送信部
１１０  管理装置（管理部）
１１２  通信部（受信部）
１１４  記憶部
Ｅ    油性防腐液
Ｌ    回転軸線
Ｐ１  近接位置
Ｐ２  離隔位置
Ｓ    スペース
【図１】
2008022820.tif 000003
【図２】
2008022820.tif 000004
【図３】
2008022820.tif 000005
【図４】
2008022820.tif 000006
【図５】
2008022820.tif 000007
【図６】
2008022820.tif 000008
【図７】
2008022820.tif 000009
【図８】
2008022820.tif 000010
【図９】
2008022820.tif 000011
【図１０】
2008022820.tif 000012
【図１１】
2008022820.tif 000013
【図１２】
2008022820.tif 000014
【図１３】
2008022820.tif 000015
【図１４】
2008022820.tif 000016
【図１５】
2008022820.tif 000017
【図１６】
2008022820.tif 000018
【図１７】
2008022820.tif 000019
【図１８】
2008022820.tif 000020
【図１９】
2008022820.tif 000021
【図２０】
2008022820.tif 000022